(57)【要約】【課題】複数の使用形態を有する幼児搬送装置とその操作方法を提供する。【解決手段】本幼児搬送装置は支持フレームと、座席組立体と、背もたれ組立体と、キャノピー組立体と、キャノピー保持要素とを備える。座席組立体は支持フレームと接続され、子供を着座させる収容領域を画定する。背もたれ組立体は該座席組立体に対して異なる角度位置の間を回転するよう操作可能である。キャノピー組立体は該座席組立体に回動可能に接続されたキャノピーフレームを有し、該キャノピーフレームは連結要素を介して該背もたれ組立体とも接続されている。この幼児搬送装置を前向き又は後向き使用形態に切り替えると、該背もたれ組立体は該キャノピー組立体を該座席組立体に対して回転させ第１位置と第２位置のどちらかに調整する。調整後、キャノピー組立体は該キャノピー保持要素により適正な位置に保持される。【選択図】図１
2011255884.tif 000002
【特許請求の範囲】
【請求項１】
支持フレームと、
該支持フレームに接続された座席組立体と、
該座席組立体に対して異なる角度位置の間を回転するよう操作可能な背もたれ組立体と、
該座席組立体に回動可能に接続されたキャノピーフレームと、該キャノピーフレームに装着された日よけ要素とを含み、該座席組立体に対して異なる傾斜角の第１位置と第２位置の間を調整可能なキャノピー組立体と、
該キャノピー組立体を該第１位置及び第２位置に保持するよう適合したキャノピー保持要素とを備え、
該キャノピーフレームは連結要素を介して該背もたれ組立体と接続され、
該背もたれ組立体の回転変位は該連結要素を介して伝達され該キャノピー組立体を該第１位置から該第２位置へ移動させる、幼児搬送装置。
【請求項２】
前記キャノピー保持要素は前記支持フレームに接続された第１端と、前記キャノピー組立体に接続された第２端とを有する１つ以上のストラップを備える請求項１に記載の幼児搬送装置。
【請求項３】
前記キャノピーフレームは前記座席組立体に回動可能に接続された第１フレーム部と、該第１フレーム部に回動可能に接続された第２フレーム部とを含む請求項１に記載の幼児搬送装置。
【請求項４】
前記キャノピー保持要素は２つ以上の制止溝を有し、前記第１フレーム部は、該２つ以上の制止溝の１つと係合し前記キャノピー組立体を前記第１位置と第２位置のどちらかにロックするよう適合したラッチ部材を有する請求項３に記載の幼児搬送装置。
【請求項５】
前記第２フレーム部は前記第１フレーム部の外側に位置し、該第１フレーム部に継手を介して回動可能に接続されている請求項３に記載の幼児搬送装置。
【請求項６】
前記第２フレーム部は前記第１フレーム部の第１側から反対側の第２側に回転するよう操作可能である請求項５に記載の幼児搬送装置。
【請求項７】
前記日よけ要素は前記第１フレーム部と前記第２フレーム部の間に接続され、該第１フレーム部の前記第１側から前記第２側への該第２フレーム部の回転は、該日よけ要素を裏返しにする請求項６に記載の幼児搬送装置。
【請求項８】
前記背もたれ組立体は前記座席組立体に対して回転して該幼児搬送装置を前向き第１使用形態と後向き第２使用形態との間で切り替えるよう操作可能である請求項１に記載の幼児搬送装置。
【請求項９】
該幼児搬送装置を前記第１使用形態にすると、前記キャノピー組立体は前記第１位置に調整される請求項８に記載の幼児搬送装置。
【請求項１０】
前記連結要素は布要素を含む請求項１に記載の幼児搬送装置。
【請求項１１】
前記背もたれ組立体は、前記座席組立体に固定された背もたれ保持要素と脱着可能に係合するよう操作可能な背もたれフレームを含む請求項１に記載の幼児搬送装置。
【請求項１２】
幼児搬送装置であって、
座席組立体と、
該座席組立体に回動可能に接続され、該幼児搬送装置を前向き第１使用形態と後向き第２使用形態との間で調整するために該座席組立体に対して回転するよう操作可能な背もたれ組立体と、
該座席組立体に回動可能に接続されたキャノピーフレームと、該キャノピーフレームに装着された日よけ要素とを含み、該座席組立体に対して第１位置と第２位置の間を回転するよう操作可能なキャノピー組立体と
を備え、
該キャノピー組立体は該第１使用形態において該背もたれ組立体の上方に日よけを提供するよう該第１位置に調整可能であり、該第２使用形態において該背もたれ組立体の上方に日よけを提供するよう該第２位置に調整可能である、幼児搬送装置。
【請求項１３】
前記キャノピー組立体は連結要素を介して前記背もたれ組立体と接続され、このため、該背もたれ組立体が前記第１使用形態と第２使用形態の間で調整される時、該背もたれ組立体は該キャノピー組立体を駆動し移動させる請求項１２に記載の幼児搬送装置。
【請求項１４】
前記連結要素は布要素を含む請求項１３に記載の幼児搬送装置。
【請求項１５】
前記日よけ要素は、該幼児搬送装置が前記第１使用形態にある時、前記座席組立体に対面し該幼児搬送装置が前記第２使用形態にある時、外方に向く１つの表面を有する請求項１２に記載の幼児搬送装置。
【発明の詳細な説明】
【技術分野】
【０００１】
本発明は、幼児搬送装置、特に、キャノピーを有する幼児搬送装置及びその操作方法に関する。
《関連する出願への相互参照》
本出願は、２０１０年６月９日付で出願した中国特許出願第２０１０１０２０１０５２．７号に基づく優先権を主張するものである。
【背景技術】
【０００２】
ベビーカー、揺りかご、幼児スイング、プレイヤード等の幼児搬送装置の構造は、支持フレームに接続されたキャノピーを有してもよい。子供を幼児搬送装置に座らせた後、キャノピーは子供に日よけを提供し、子供を周囲の環境から隔離できる。しかし、キャノピーの従来の構造は、通常、幼児搬送装置が前向き構成にある時だけ、引っ込めた状態と広げた状態との間の調整が可能である。幼児搬送装置が後向き構成にある時、キャノピーを子供の必要に応じて調整することが出来ない。
【０００３】
従って、キャノピーのより便利で柔軟な使用を可能にし、少なくとも上記の問題に対処することが出来る改善された幼児搬送装置が必要とされている。
【発明の概要】
【課題を解決するための手段】
【０００４】
本発明は複数の使用形態を有する幼児搬送装置とその操作方法とを開示する。この幼児搬送装置は、幼児搬送装置の使用形態を変える迅速で便利な操作を可能にする背もたれ組立体及びキャノピー組立体を備える。
【０００５】
１つの実施形態では、本幼児搬送装置は支持フレームと、該支持フレームに接続された座席組立体と、該座席組立体に対して異なる角度位置の間を回転するよう操作可能な背もたれ組立体と、キャノピー組立体と、キャノピー保持要素とを備える。キャノピー組立体は該座席組立体に回動可能に接続されたキャノピーフレームと、該キャノピーフレームに装着された日よけ要素とを含み、該座席組立体に対して異なる傾斜角の第１位置と第２位置の間を調整可能である。該キャノピー保持要素は該キャノピー組立体を該第１位置及び第２位置に保持するよう適合している。該キャノピーフレームは連結要素を介して該背もたれ組立体と接続され、該背もたれ組立体の回転変位は該連結要素を介して伝達され該キャノピー組立体を該第１位置から該第２位置へ移動させる。
【０００６】
本明細書に記載する構造及び方法の少なくとも１つの利点は、背もたれ組立体とキャノピー組立体との向きを幼児搬送装置の所望の使用形態に応じて調整できることである。キャノピー組立体の日よけ要素を広げて効果的な日よけを提供し、また便利に折り畳み引っ込めることが出来る。また、キャノピー組立体と背もたれ組立体は連結要素を介して互いに接続されており、背もたれ組立体とキャノピー組立体との向きを同時に効率的に変更することが出来る。
【図面の簡単な説明】
【０００７】
【図１】子供を前向きに着座させるための第１使用形態の幼児搬送装置の実施形態を例示する概略図である。
【図２】子供を後向きに着座させるための第２使用形態の幼児搬送装置を例示する概略図である。
【図３】背もたれフレームと背もたれ保持要素との組立体を例示する概略図である。
【図４】背もたれフレームと背もたれ保持要素との操作を例示する概略図である。
【図５】キャノピー組立体と座席組立体との接続を例示する概略図である。
【図６】キャノピーフレームに使用された継手の構造を例示する概略図である。
【図７】キャノピーフレームに使用された継手の別の構造を例示する概略図である。
【図８】日よけ要素が折り畳まれ引っ込んだ様子を例示する概略図である。
【図９】幼児搬送装置の使用形態を変えるために背もたれ組立体とキャノピー組立体とを調整する様子を例示する概略図である。
【図１０】幼児搬送装置の使用形態を変えるために背もたれ組立体とキャノピー組立体とを調整する様子を例示する概略図である。
【発明を実施するための形態】
【０００８】
本発明は複数の使用形態を有する幼児搬送装置とその操作方法とを開示する。この幼児搬送装置は、調整のために操作し易く使用するのに安全なキャノピー組立体と背もたれ組立体とを備える。幼児搬送装置の例は、これらに限定されないが、ベビーカー、チャイルドシート、揺動装置、揺りかご等を含む。
【０００９】
図１及び図２は幼児搬送装置１００のベビーカー実施形態を例示する概略図である。図１においては、子供を前向きに着座させる第１の使用形態の幼児搬送装置１００が示されている。図２においては、子供を後向きに着座させる第２の使用形態の幼児搬送装置１００が示されている。幼児搬送装置１００は支持フレーム１０２と、キャノピー保持要素１０３と、座席組立体１０４と、背もたれ組立体１０５と、キャノピー組立体１０６と、連結要素１０７とを備えてよい。
【００１０】
支持フレーム１０２はハンドル１０８と、２つの肘かけ１１０と、前脚１１２と、後脚１１４と、複数の車輪１１６とを備えてよい。ハンドル１０８は後脚１１４に結合された側部を有する概ねＵ字形の管組立体からなる。各肘かけ１１０はハンドル１０８の対応する側部に接続された第１端部１１０Ａと、前脚１１２及び後脚１１４の上端部に接続された反対側の第２端部１１０Ｂとを有する。横断バー１１８が２つの肘かけ１１０間に装着されてもよい。横断バー１１８の一端は一方の肘かけ１１０（例えば、右の肘かけ１１０）の第２端部１１０Ｂに回動可能に接続されてよい。これにより横断バー１１８を結合している該肘かけ１１０に対して回転させて、横断バー１１８の他端を反対側の肘かけ１１０（例えば、左の肘かけ１１０）に接続するか又は離すことが出来る。別の実施形態では、横断バー１１８をフロントトレーで置き換えてもよい。車輪１１６は前脚１１２及び後脚１１４の下端に装着される。
【００１１】
図１に示すように、座席組立体１０４は支持フレーム１０２に装着される。１つの実施形態では、座席組立体１０４は前端部１２４Ａ及び後端部１２４Ｂを有する座席支持体１２４を含んでもよい。前端部１２４Ａは前脚１１２と接続されてよい。座席支持体１２４の前端部１２４Ａと後端部１２４Ｂとの間の中央部が後脚１１４及び／又はハンドル１０８と接続されてよい。座席支持体１２４は硬い材料（例えば、成形プラスチック、金属、木材等）か、又は柔軟な材料（例えば、布）でできている。
【００１２】
背もたれ組立体１０５は背もたれフレーム１２６（破線で部分的に示す）と、背もたれフレーム１２６を覆って広がる背もたれ支持体１２５とを含んでよい。１つの実施形態では、背もたれ支持体１２５は布要素、クッションパッド、又は類似の柔らかい要素であってよい。背もたれフレーム１２６は２つの背もたれ保持要素１２８に接続されている。背もたれフレーム１２６は、座席支持体１２４の右側及び左側に設けられた背もたれ保持要素１２８に回動可能に接続された右及び左側部を有する概ねＵ字形の管組立体からなる。このように、背もたれフレーム１２６を座席組立体１０４に対して様々な傾斜角度に回転調整することが出来る。
【００１３】
図１に示すように、背もたれ保持要素１２８は座席支持体１２４の右側及び左側に固定されていてよい。背もたれフレーム１２６の右及び左側部は座席支持体１２４に形成されたスロット１２７を通り、背もたれ保持要素１２８に接続されている。背もたれフレーム１２６の右及び左側部はラッチ部材１２６Ａが設けられた端部を有してもよい。ラッチ部材１２６Ａは対応する背もたれ保持要素１２８と脱着可能に係合し背もたれフレーム１２６を所望の角度位置にロックする。
【００１４】
キャノピー組立体１０６はキャノピーフレーム１２９と日よけ要素１３０とを含んでよい。１つの実施形態では、キャノピーフレーム１２９は典型的には第１フレーム部１３１と調整可能な第２フレーム部１３２とを含んでよい。第１フレーム部１３１は比較的厚い管の組立体から成っており、背もたれフレーム１２６の外側に位置する右及び左側部を有する概ねＵ字形をしている。従って、背もたれフレーム１２６は第１フレーム部１３１の内側のそばを回転して通り傾斜角が調整される。キャノピー組立体１０６（第１フレーム部１３１を含む）を座席組立体１０４に対して複数の角度位置間を回転させられるよう第１フレーム部１３１の右及び左側部は座席組立体１０４の右及び左側に回動可能に接続されてよい。
【００１５】
キャノピー保持要素１０３は幼児搬送装置１００の所望の使用形態に応じて様々な傾斜角の姿勢にキャノピー組立体１０６を保持するために使用される。１つの実施形態では、キャノピー保持要素１０３は肘かけ１１０及び第１フレーム部１３１に接続された２つのストラップ１３６により構成されてよい。特に、各ストラップ１３６は対応する肘かけ１１０（即ち、右／左肘かけ１１０）に固定された第１端１３６Ａと、第１フレーム部１３１の対応する側部に固定された第２端１３６Ｂとを有してよい。キャノピー組立体１０６を例えば図１に示すように所望の第１位置に調整した後、ストラップ１３６は第１フレーム部１３１の移動範囲を制限し、キャノピー組立体１０６を該第１位置に安定に保持することが出来る。同様に、キャノピー組立体１０６を例えば図２に示すように反対側の第２位置に調整した後、ストラップ１３６は第１フレーム部１３１の移動範囲を制限し、キャノピー組立体１０６を該第２位置に安定に保持することが出来る。
【００１６】
調整可能な第２フレーム部１３２は、第１フレーム部１３１の右及び左側部に継手１３４を介して接続された右及び左側部を有する円弧形又はＵ字形のフレームから成っていてよい。従って、操作時、第２フレーム部１３２は第１フレーム部１３１に対して回転し、第１フレーム部１３１の外側を通過する。日よけ要素１３０は広げられて第１と第２フレーム部１３１、１３２に固定される。１つの実施形態では、日よけ要素１３０は柔軟な材料、例えば布、柔軟なプラスチックシート等でできていてよい。
【００１７】
図１を再び参照すると、連結要素１０７は背もたれ組立体１０５とキャノピー組立体１０６との間に接続されている。例えば、連結要素１０７は背もたれフレーム１２６（例えば、背もたれフレーム１２６の右部、左部、及び横断部）に固定された第１縁と、第１フレーム部１３１（例えば、第１フレーム部１３１の右部、左部、及び横断部）に固定された第２縁とを有する布要素１３３であってよい。従って、布要素１３３は背もたれフレーム１２６と第１フレーム部１３１の間に広げられる。
【００１８】
図１及び図２に示すように、幼児搬送装置１００は複数の使用形態を有することが出来る。図１において、子供を前向きに座らせる第１使用形態の幼児搬送装置１００が示されており、背もたれ組立体１０５を後方へほぼ水平姿勢にリクラインするか又は倒すことが出来る。図２において、子供を親に対面するよう後向きに座らせる第２使用形態の幼児搬送装置１００が示されており、背もたれ組立体１０５を前方へほぼ水平姿勢に倒すことが出来る。異なる使用形態間を切り替えるために、背もたれ組立体１０５とキャノピー組立体１０６は、背もたれ組立体１０５とキャノピー組立体１０６との姿勢を所望の使用形態に応じて変えることを可能にする調整可能な構造体で構成されてよい。これらの調整可能な構造体の構成を下記に詳細に説明する。
【００１９】
図３は背もたれフレーム１２６と背もたれ保持要素１２８との組立体を例示する概略図である。背もたれ保持要素１２８は典型的には一体形成された半円形の中空ハブ１４２であり、座席支持体１２４に固定される。ハブ１４２は、背もたれフレーム１２６の回転軸の周りの半径方向に配置された複数のロック溝１４６が底部に設けられた空洞１４４を有する。背もたれフレーム１２６は空洞１４４に差し入れられ、リベット、ピン、又は類似の枢軸連結体１４８を介してハブ１４２と回動可能に接続される。従って、背もたれフレーム１２６は背もたれ保持要素１２８に対して枢軸連結体１４８の周りを回転できる。また、背もたれフレーム１２６は枢軸連結体１４８が挿通され可動に取り付けられる細長いスロット１５０を有してよい。背もたれフレーム１２６内には第１端が枢軸連結体１４８に固定され第２端が背もたれフレーム１２６又はラッチ部材１２６Ａの内面に固定されたバネ要素１５２が含まれている。枢軸連結体１４８が細長いスロット１５０に可動に取り付けられるので、背もたれフレーム１２６は背もたれ保持要素１２８に対して回転だけでなく、細長いスロット１５０及び背もたれフレーム１２６の延在方向に概ね平行な長さ方向軸Ｘに沿ってスライドすることも出来る。従って、ラッチ部材１２６Ａはロック溝１４６のいずれかと係合したり、離れたり出来る。
【００２０】
図３において、背もたれ保持要素１２８とロック又は係合した状態の背もたれフレーム１２６が示されている。ラッチ部材１２６Ａはバネ要素１５２により付勢されロック溝１４６の１つと係合するので、背もたれフレーム１２６を所望の角度位置にしっかりと保持できる。
【００２１】
図４を参照すると、調整が必要である時、背もたれフレーム１２６をＦ方向に長さ方向軸Ｘに沿って引っ張ることで、ラッチ部材１２６Ａはロック溝１４６から離れ、バネ要素１５２は圧縮された状態になる。このため、背もたれフレーム１２６は枢軸連結体１４８に対して回転できる。背もたれフレーム１２６を所望の角度位置に調整した後、バネ要素１５２はラッチ部材１２６Ａを付勢して対応するロック溝１４６と係合させ、背もたれフレーム１２６を適正な角度位置にロックする。
【００２２】
図４に破線で示すように、背もたれフレーム１２６をほぼ水平な前方（又は後方）リクライン姿勢にすることが出来る。この使用形態では、ラッチ部材１２６Ａは空洞１４４外へ移動し、ハブ１４２の外側に位置する。バネ要素１５２により付勢されて、水平な矢印で示すようにラッチ部材１２６Ａは別のロック位置と係合する。例えば、ラッチ部材１２６Ａは制止面１５６に当接し、背もたれフレーム１２６が空洞１４４に向かって逆方向に回転するのを阻止する。これにより、背もたれフレーム１２６はリクライン姿勢にしっかりと保持されうる。
【００２３】
１つの実施形態では、制止面１５６はハブ１４２又は座席支持体１２４の上面であってもよい。ユーザが背もたれフレーム１２６を水平リクライン姿勢から他の角度位置に調整したい時、背もたれフレーム１２６を引っ張ってラッチ部材１２６Ａを制止面１５６から離すと、背もたれフレーム１２６を所望の角度位置に回転させ調整できる（この時、ラッチ部材１２６Ａは空洞１４４内を移動する）。この構造により、背もたれフレーム１２６を複数の使用形態、例えば図１の後方水平リクライン姿勢と図２の前方水平リクライン姿勢の間で切り替えることが出来る。
【００２４】
図１及び図２において、キャノピー保持要素１０３は２つの位置、即ち、キャノピー組立体１０６は後方へ移動され幼児搬送装置１００の背部から日よけを提供する第１位置（図１）と、キャノピー組立体１０６は前方へ移動され幼児搬送装置１００の前部から日よけを提供する第２位置（図２）との間のキャノピー組立体１０６の移動の範囲を制限する２つのストラップ１３６を含んでよい。下記に説明するように、別の実施形態は、キャノピー組立体１０６の同様な調整を可能にする背もたれ保持要素１２８と類似した構造のキャノピー保持要素１０３を有していてもよい。
【００２５】
図５はキャノピー保持要素の別の実施形態を例示する概略図である。図に示すように、キャノピー保持要素１０３’は一体形成されうる半円形の中空ハブ１６０を含み、座席組立体１０４に固定される。組立て後のスペースを低減するために、キャノピー保持要素１０３’のハブ１６０を図４のハブ１４２に隣接またはハブ１４２の外側壁に接触して配置してもよい。しかし、ハブ１６０は座席組立体１０４又は支持フレーム１０２の任意の他の適切な位置に装着できる。ハブ１６０は円周に沿って配置された複数の制止溝、例えば第１と第２制止溝１６４Ａ、１６４Ｂが設けられた空洞１６２を有してよい。キャノピーフレーム１２９の第１フレーム部１３１は、１つの側部が空洞１６２に差し入れられ、リベット、ピン、又は類似の枢軸連結体１６６を介してハブ１６０と回動可能に接続される。また、第１フレーム部１３１の該側部は枢軸連結体１６６が挿通され可動に取り付けられる細長いスロット１６８を有してよい。第１フレーム部１３１内には第１端が枢軸連結体１６６に固定され第２端が第１フレーム部１３１の末端に設けられたラッチ部材１３１Ａに固定されたバネ要素１７０が含まれていてよい。従って、第１フレーム部１３１は枢軸連結体１６６の周りを回転でき、細長いスロット１６８及び第１フレーム部１３１の延在方向に概ね平行な長さ方向軸Ｙに沿ってハブ１６０に対してスライドすることも出来るので、ラッチ部材１３１Ａは制止溝１６４Ａ又は１６４Ｂと係合したり離れたり出来る。
【００２６】
図５において、実線はロック状態にあるキャノピー保持要素１０３’と係合した第１フレーム部１３１を示す。第１フレーム部１３１のラッチ部材１３１Ａはバネ要素１７０により付勢され第１制止溝１６４Ａと係合することで、第１フレーム部１３１が後方に傾斜した状態でキャノピーフレーム１２９は後方位置に保持される（図１に示す）。
【００２７】
キャノピーフレーム１２９の調整が必要な時、第１フレーム部１３１を第１フレーム部１３１の長さ方向軸Ｙに平行なＹ方向に引っ張ることでラッチ部材１３１Ａを第１制止溝１６４Ａから離し、バネ要素１７０を圧縮できる。次に、第１フレーム部１３１を枢軸連結体１６６の周りに回転させ調整できる。第１フレーム部１３１が所望の前方傾斜姿勢（図５に破線で示す）に達した後、第１フレーム部１３１の側部はハブ１６０の空洞１６２内に設けられた対向する制止面１２４Ｃに当接し、バネ要素１７０はラッチ部材１３１Ａを付勢し第２制止溝１６４Ｂと係合させる。これにより、第１フレーム部１３１は適正な角度位置に保持される。このようにして、キャノピーフレーム１２９を複数の使用形態、例えば図１の後方位置と図２の前方位置との間で切り替えることが出来る。また、キャノピー保持要素１０３’はキャノピーフレーム１２９を適正な位置に効果的にロックして偶発的移動を防ぐことが出来る。
【００２８】
図６はキャノピーフレーム１２９に設けられた継手１３４の構造を例示する概略図である。継手１３４は第１フレーム部１３１に固定された基部１７６と、第２フレーム部１３２に固定され基部１７６に回動可能に接続された回転ハブ１７８とを備える。回転ハブ１７８に対面する基部１７６の側面１７６Ａは、継手１３４の回転軸からずれた位置にスタッド１７６Ｂを備えてよい。回転ハブ１７８の内部円周面１７８Ａは複数のロック溝（例えば、ロック溝１７８Ｂ、１７８Ｃ、１７８Ｄ）を備えてよい。これらのロック溝にスタッド１７６Ｂがロック係合して第２フレーム部１３２を第１フレーム部１３１に対して様々な角度位置に保持する。
【００２９】
調整が必要な時、第２フレーム部１３２を第１フレーム部１３１に対して回転させることで同時に回転ハブ１７８も基部１７６に対して回転する。その結果、スタッド１７６Ｂはロック溝から離れ、回転ハブ１７８の内部円周面１７８Ａに沿って回転する。スタッド１７６Ｂは弾性変形可能にできており、回転ハブ１７８が基部１７６に対して回転する時、変形し内部円周面１７８Ａと接触する。スタッド１７６Ｂが別のロック溝に達し係合すると、第２フレーム部１３２は第１フレーム部１３１に対して別の傾斜角で適正な位置にロックされる。従って、第２フレーム部１３２を第１フレーム部１３１の第１側Ｌから反対側の第２側Ｒへ移動させることが出来、その結果、日よけ要素１３０はキャノピーフレーム１２９上で裏返しになる。
【００３０】
図７は継手１３４の変形例を示す概略図である。継手１３４は第１フレーム部１３１に固定された基部１７６’と、第２フレーム部１３２に固定され基部１７６’に回動可能に接続された回転ハブ１７８’とを備える。しかし、回転ハブ１７８’は複数のロック位置１７９Ａ、１７９Ｂ、１７９Ｃが設けられた円弧形ガイドスロット１７９を備え、一方、基部１７６’はガイドスロット１７９に可動に組み込まれるノブ１７６Ａ’を備える。ノブ１７６Ａ’は該ロック位置のいずれかと係合して第２フレーム部１３２を適正な角度位置に保持できる。調整が必要な時、第２フレーム部１３２を第１フレーム部１３１に対して回転させることで回転ハブ１７８’は基部１７６’に対して回転する。その結果、ノブ１７６Ａ’はロック位置から離れ、ガイドスロット１７９に沿ってスライドする。ノブ１７６Ａ’は弾性変形可能にできており、回転ハブ１７８’が基部１７６’に対して回転する時、変形しガイドスロット１７９の縁と接触する。ノブ１７６Ａ’が別のロック位置に達し係合すると、第２フレーム部１３２は第１フレーム部１３１に対して別の傾斜角で適正な位置にロックされる。従って、同様に、第２フレーム部１３２を第１フレーム部１３１の第１側Ｌから反対側の第２側Ｒへ移動させて、キャノピーフレーム１２９上の日よけ要素１３０の向きを変えることが出来る。
【００３１】
幼児搬送装置１００の典型的な操作を図１、図２、及び図８〜図１０を参照しながら下記に説明する。図１は前向き第１使用形態の幼児搬送装置１００を示す。背もたれ組立体１０５は後方へほぼ水平姿勢にリクラインされ、座席支持体１２４の後端部１２４Ｂに近接している。従って、座席支持体１２４の前端部１２４Ａと背もたれ組立体１０５の第１側１０５Ａは、子供を着座させるか寝かせることが出来る前向き第１収容領域Ｖ１を画定する（寝かせた場合、子供の頭は後部に位置する）。図１に示すキャノピー保持要素１０３又は図５に示すキャノピー保持要素１０３’を使用してキャノピー組立体１０６を後方位置に保持できる。日よけ要素１３０の第１側１３０Ａは座席組立体１０４の方を向き、一方、日よけ要素１３０の反対側の第２側１３０Ｂは上方を向いている。従って、日よけ要素１３０は第１収容領域Ｖ１の上方に効果的な日よけを提供する。布要素１３３を第１フレーム部１３１と背もたれフレーム１２６の間に広げて第１収容領域Ｖ１を少なくとも部分的に囲うことが出来る。
【００３２】
図８は引っ込めた状態の日よけ要素１３０を例示する概略図である。日よけ要素１３０を引っ込めようとする時、第２フレーム部１３２をＭ方向に押して継手１３４の回動軸の周りに第１フレーム部１３１に隣接する位置まで回転させる。その結果、日よけ要素１３０は第１と第２フレーム部１３１、１３２の間に折り畳まれ引っ込められる。
【００３３】
図９及び図１０は幼児搬送装置１００を前向き第１使用形態（図１）から後向き第２使用形態（図２）へ切り替える方法を例示する概略図である。図１及び図９を参照すると、先ず横断バー１１８を開いて背もたれ組立体１０５とキャノピー組立体１０６との調整のためのスペースを空ける。次に、後方水平リクライン姿勢にある背もたれフレーム１２６をその長さ方向軸に沿って引っ張って背もたれフレーム１２６と背もたれ保持要素１２８の間のロック係合を外すことが出来る（図４に示す）。図１のキャノピー保持要素１０３を使用する場合、ロック解除操作は必要なく、背もたれフレーム１２６を前方へＰ方向に直接回転させキャノピーフレーム１２９の内側を通すことが出来る。背もたれフレーム１２６が前方へ回転する時、同時に第２フレーム部１３２は下方へＱ方向に回転して第１フレーム部１３１を前方へ回転させる。
【００３４】
図５のキャノピー保持要素１０３’を使用する場合、キャノピーフレーム１２９を引っ張ってラッチ部材１３１Ａとキャノピー保持要素１０３’の間のロック係合を外すことが出来る。次に図９に示すように、背もたれフレーム１２６を前方へＰ方向に回転させキャノピーフレーム１２９の内側を通すことが出来る。背もたれフレーム１２６が前方へ回転する時、同時に第２フレーム部１３２は下方へＱ方向に回転する。背もたれフレーム１２６とキャノピーフレーム１２９は布要素１３３を介して互いに接続されているので、第１フレーム部１３１も背もたれフレーム１２６により駆動され前方へ回転する。
【００３５】
図１０は前方水平リクライン姿勢に調整された背もたれフレーム１２６を例示する概略図である。この使用形態では、背もたれフレーム１２６は座席支持体１２４の前端部１２４Ａに近接している。背もたれ組立体１０５の第１側１０５Ａは座席支持体１２４の前端部１２４Ａと対面し、背もたれ組立体１０５の反対側の第２側１０５Ｂと座席支持体１２４の後端部１２４Ｂは、子供を後向きに着座させるか寝かせることが出来る第２収容領域Ｖ２を画定する。
【００３６】
図１のキャノピー保持要素１０３を使用する場合、キャノピーフレーム１２９の第１フレーム部１３１は第１フレーム部１３１と肘かけ１１０の間に接続されたストラップ１３６により前方傾斜姿勢に保持されうる。キャノピー保持要素１０３’を使用する場合、ラッチ部材１３１Ａは第２制止溝１６４Ｂと係合し、ハブ１６０の制止面１２４Ｃは第１フレーム部１３１の側部に当接して（図５に示す）、第１フレーム部１３１を前方傾斜姿勢に保持する。また、布要素１３３を背もたれフレーム１２６と第１フレーム部１３１の間に広げて第２収容領域Ｖ２を少なくとも部分的に囲うことが出来る。使用しない時、日よけ要素１３０は裏返えされ連結要素１０７の周りを少なくとも部分的に覆う（図１０に示す）。必要なら、日よけ要素１３０は後方へ調整され第２収容領域Ｖ２に日よけを提供できる（図２に示す）。
【００３７】
最後に、第２フレーム部１３２は後方へ回転され第１フレーム部１３１の外側を第１フレーム部１３１の反対側へ移動する。第２フレーム部１３２のこの調整は日よけ要素１３０を裏返えす、即ち、日よけ要素１３０の第２側１３０Ｂが座席組立体１０４の方を向き、日よけ要素１３０の第１側１３０Ａは上方を向く。従って、日よけ要素１３０は背もたれ組立体１０５の第２側１０５Ｂのほぼ上方に配置され第２収容領域Ｖ２の上方に効果的な日よけを提供できる。なお、前記水平に倒した姿勢以外に、背もたれフレーム１２６を子供の必要に応じて任意の中間の前方又は後方角度位置に調整することも出来る。
【００３８】
図１に示した第１使用形態に戻すために、先ず背もたれフレーム１２６のロック係合を外す。次に背もたれフレーム１２６を後方へ回転させ、同時に第２フレーム部１３２を下方へ回転させる。背もたれフレーム１２６が回転する時、布要素１３３が接続されているので第１フレーム部１３１も後方傾斜姿勢へ移動させられる。第１フレーム部１３１が後方傾斜姿勢になった後、第２フレーム部１３２は前方へ回転させられ第１フレーム部１３１の外側を第１フレーム部１３１の反対側へ移動する。その結果、日よけ要素１３０の第１側１３０Ａが座席組立体１０４の方を向き、一方、日よけ要素１３０の第２側１３０Ｂは図１に示すように上方を向く。
【００３９】
本明細書に記載した構造と方法によって、キャノピー組立体と背もたれ組立体は複数の使用形態に調整することが出来る。キャノピー組立体の日よけ要素を広げて効果的な日よけを提供し、また便利に折り畳み引っ込めることが出来る。また、キャノピー組立体と背もたれ組立体は連結要素を介して互いに接続され、背もたれ組立体とキャノピー組立体との向きを同時に効率的に変更することが出来る。
【００４０】
本発明の実施を特定の実施形態だけを用いて説明した。これらの実施形態は限定ではなく例示するよう意図されている。多くの変形、変更、追加、及び改善が可能である。従って、単一の例として説明した構成要素について複数の例がありうる。代表的な構成において個々の構成要素として提示した構造と機能は、結合された構造又は構成要素として実現されてもよい。これら及び他の変形、変更、追加、及び改善は添付の請求項によって定義される本発明の範囲に入る。
【符号の説明】
【００４１】
１００  幼児搬送装置
１０２  支持フレーム
１０３  キャノピー保持要素
１０４  座席組立体
１０５  背もたれ組立体
１０６  キャノピー組立体
１０７  連結要素
１２９  キャノピーフレーム
１３０  日よけ要素
１３１  第１フレーム部
１３２  第２フレーム部
【図１】
2011255884.tif 000003
【図２】
2011255884.tif 000004
【図３】
2011255884.tif 000005
【図４】
2011255884.tif 000006
【図５】
2011255884.tif 000007
【図６】
2011255884.tif 000008
【図７】
2011255884.tif 000009
【図８】
2011255884.tif 000010
【図９】
2011255884.tif 000011
【図１０】
2011255884.tif 000012
【外国語明細書】
2011255884000001.pdf